(57)【要約】【課題】画像再生装置を利用して、離れた場所からでも難しい操作を要さずに画像を見せることができるを提供する。【解決手段】通信システムは、インターネット１０を介して通信可能なサーバ装置２００と、画像データを再生及び表示するデジタルフォトフレーム５００に接続され、グローバルＩＰアドレスが設定されるＵＳＢ無線ＬＡＮ端末４００とを有する。サーバ装置２００は、ＵＳＢ無線ＬＡＮ端末４００との間に、インターネット１０を介するＶＰＮを確立し、ＶＰＮを用いて画像データをＵＳＢ無線ＬＡＮ端末４００に送信する。ＵＳＢ無線ＬＡＮ端末４００は、画像データを受信し、受信した画像データをデジタルフォトフレーム５００に中継する。デジタルフォトフレーム５００は、画像中継部４３３によって中継された画像データを再生及び表示する。【選択図】図１
2011243083.tif 000002
【特許請求の範囲】
【請求項１】
インターネットを介して通信可能な情報処理装置と、
画像データを再生及び表示する画像再生装置に接続され、グローバルＩＰ（Internet Protocol）アドレスが設定される通信装置とを有し、
前記情報処理装置は、
グローバルＩＰアドレスが設定された前記通信装置との間に、前記インターネットを介するＩＰ通信路を確立する通信確立部と、
前記通信確立部によって確立された前記ＩＰ通信路を用いて、画像データを前記通信装置に送信する画像送信部とを有し、
前記通信装置は、
前記画像送信部によって送信された画像データを受信する画像受信部と、
前記画像受信部が受信した画像データを前記画像再生装置に中継する画像中継部とを有し、
前記画像再生装置は、前記画像中継部によって中継された画像データを再生及び表示することを特徴とする通信システム。
【請求項２】
前記画像送信部は、ＩＰに従って画像データを前記通信装置に送信し、
前記通信装置は、
所定のインタフェースプロトコルを用いて構成され、前記画像再生装置に接続される通信装置側インタフェースをさらに有し、
前記画像中継部は、
前記画像受信部によって受信された画像データを、前記ＩＰから前記所定のインタフェースプロトコルにプロトコル変換した上で、前記通信装置側インタフェースを介して前記画像再生装置に中継することを特徴とする請求項１に記載の通信システム。
【請求項３】
前記情報処理装置は、
前記所定のインタフェースプロトコルを用いて構成され、記憶媒体が接続される情報処理装置側インタフェースと、
前記情報処理装置側インタフェースに接続された前記記憶媒体から画像データを読み出す画像読み出し部とをさらに有し、
前記画像送信部は、
前記画像読み出し部によって読み出された画像データを、前記所定のインタフェースプロトコルから前記ＩＰへのプロトコル変換を行った上で前記通信装置に送信することを特徴とする請求項２に記載の通信システム。
【請求項４】
前記所定のインタフェースプロトコルは、ＵＳＢ（Universal Serial Bus）プロトコルであることを特徴とする請求項２又は３に記載の通信システム。
【請求項５】
前記通信装置は、
前記インターネットに接続された無線ＬＡＮ基地局との無線通信を行う無線ＬＡＮ通信部をさらに有し、
前記画像送信部は、
前記インターネット及び前記無線ＬＡＮ基地局を介して、前記情報処理装置に画像データを送信し、
前記画像受信部は、
前記無線ＬＡＮ通信部を介して画像データを受信することを特徴とする請求項１〜４の何れか一項に記載の通信システム。
【請求項６】
所定のインタフェースプロトコルを用いて構成され、画像データを再生及び表示する画像再生装置に接続される通信装置側インタフェースと、
自装置にグローバルＩＰ（Internet Protocol）アドレスが設定された後、インターネットを介するＩＰ通信路を用いて情報処理装置によって送信された画像データを受信する画像受信部と、
前記画像受信部によって受信された画像データを、ＩＰから前記所定のインタフェースプロトコルにプロトコル変換した上で、前記通信装置側インタフェースを介して前記画像再生装置に中継する画像中継部とを有することを特徴とする通信装置。
【請求項７】
インターネットを介して通信可能な情報処理装置が、所定のインタフェースを用いて画像再生装置に接続され、且つグローバルＩＰアドレスが設定された通信装置との間に、前記インターネットを経由するＩＰ通信路を確立するステップと、
前記情報処理装置が、前記確立するステップにおいて確立された前記ＩＰ通信路を用いて画像データを前記通信装置に送信するステップと、
前記通信装置が、前記情報処理装置によって送信された画像データを受信するとともに、受信した画像データを前記画像再生装置に中継するステップと、
前記画像再生装置が、前記通信装置によって中継された画像データを受信するとともに、受信した画像データを再生及び表示するステップと
を有することを特徴とする通信方法。
【発明の詳細な説明】
【技術分野】
【０００１】
本発明は、画像再生装置が用いられる通信システム、通信装置、及び通信方法に関する。
【背景技術】
【０００２】
デジタルカメラの普及に伴い、デジタルカメラを用いて得られた画像データをプリントアウトすることなく手軽に見るための機器として、写真立て型の画像再生装置（いわゆる、デジタルフォトフレーム）の普及が進んでいる。
【０００３】
ユーザは、画像データが記憶された記憶媒体（例えば、ＵＳＢ（Universal Serial Bus）メモリやメモリカード等）を画像再生装置に接続し、画像再生装置を操作する。画像再生装置は、ユーザからの操作に応じて、記憶媒体内の画像データを読み出し、当該画像データを再生して表示する。
【０００４】
近年では、無線ＬＡＮ（Local Area Network）に対応した画像再生装置も実用化されている（例えば特許文献１参照）。無線ＬＡＮに対応した画像再生装置は、プライベートＩＰアドレスが設定され、ＬＡＮ（例えばホームネットワーク）上の他の機器とＩＰ通信を行うことができる。
【０００５】
また、無線ＬＡＮに対応した画像再生装置は、ユーザからの操作に応じて、ＬＡＮ上の他の機器から画像データを読み出し、当該画像データを再生して表示することができる。
【先行技術文献】
【特許文献】
【０００６】
【特許文献１】特開２０１０−４１１８号公報
【発明の概要】
【発明が解決しようとする課題】
【０００７】
電子機器の操作に疎いユーザ（例えば老人等）にとっては、画像再生装置を使いこなすことが難しい。このため、ある住宅に設けられたＰＣサーバ等から、インターネットを介して別の住宅（例えば老人宅等）の画像再生装置に画像データを送信し、電子機器の操作に疎いユーザに画像を見せたいといった要求がある。
【０００８】
しかしながら、無線ＬＡＮに対応した画像再生装置は、ＬＡＮ上の他の機器から画像データを読み出すことができるものの、離れた場所からの画像データをインターネット経由で受信することができず、上記の要求に応えることができない問題があった。
【０００９】
そこで、本発明は、画像再生装置を利用して、離れた場所からでも難しい操作を要さずに画像を見せることができる通信システム、通信装置、及び通信方法を提供することを目的とする。
【課題を解決するための手段】
【００１０】
上述した課題を解決するために、本発明は以下のような特徴を有している。まず、本発明に係る通信システムの特徴は、インターネット（インターネット１０）を介して通信可能な情報処理装置（例えばサーバ装置２００）と、画像データを再生及び表示する画像再生装置（例えばデジタルフォトフレーム５００）に接続され、グローバルＩＰ（Internet Protocol）アドレスが設定される通信装置（例えばＵＳＢ無線ＬＡＮ端末４００）とを有し、前記情報処理装置は、グローバルＩＰアドレスが設定された前記通信装置との間に、前記インターネットを介するＩＰ通信路（例えばＶＰＮ）を確立する通信確立部（通信確立部２３１）と、前記通信確立部によって確立された前記ＩＰ通信路を用いて、画像データを前記通信装置に送信する画像送信部（画像送信部２３３）とを有し、前記通信装置は、前記画像送信部によって送信された画像データを受信する画像受信部（画像受信部４３２）と、前記画像受信部が受信した画像データを前記画像再生装置に中継する画像中継部（画像中継部４３３）とを有し、前記画像再生装置は、前記画像中継部によって中継された画像データを再生及び表示することを要旨とする。
【００１１】
このような特徴によれば、情報処理装置は、グローバルＩＰアドレスが設定された通信装置との間にＩＰ通信路を確立し、ＩＰ通信路を用いて画像データを通信装置に送信する。通信装置は、画像データを受信して画像再生装置に中継する。そして、画像再生装置は、通信装置によって中継された画像データを再生及び表示する。
【００１２】
これにより、ある住宅に設けられた情報処理装置から、インターネットを介して、別の住宅の画像再生装置に画像データを送信することができ、例えば電子機器の操作に疎いユーザ（老人等）に対して画像を見せることができる。
【００１３】
本発明に係る通信システムの他の特徴は、上記の特徴に係る通信システムにおいて、前記画像送信部は、ＩＰ（Internet Protocol）に従って画像データを前記通信装置に送信し、前記通信装置は、所定のインタフェースプロトコルを用いて構成され、前記画像再生装置に接続される通信装置側インタフェース（例えばＵＳＢインタフェース４２０）をさらに有し、前記画像中継部は、前記画像受信部によって受信された画像データを、前記ＩＰから前記所定のインタフェースプロトコルにプロトコル変換した上で、前記通信装置側インタフェースを介して前記画像再生装置に中継することを要旨とする。
【００１４】
本発明に係る通信システムの他の特徴は、上記の特徴に係る通信システムにおいて、前記情報処理装置は、前記所定のインタフェースプロトコルを用いて構成され、記憶媒体（例えばＵＳＢメモリ１００）が接続される情報処理装置側インタフェース（例えばＵＳＢインタフェース２１０）と、前記情報処理装置側インタフェースに接続された前記記憶媒体から画像データを読み出す画像読み出し部（画像読み出し部２３２）とをさらに有し、前記画像送信部は、前記画像読み出し部によって読み出された画像データを、前記所定のインタフェースプロトコルから前記ＩＰへのプロトコル変換を行った上で前記通信装置に送信することを要旨とする。
【００１５】
本発明に係る通信システムの他の特徴は、上記の特徴に係る通信システムにおいて、前記所定のインタフェースプロトコルは、ＵＳＢ（Universal Serial Bus）プロトコルであることを要旨とする。
【００１６】
本発明に係る通信システムの他の特徴は、上記の特徴に係る通信システムにおいて、前記通信装置は、前記インターネットに接続された無線ＬＡＮ基地局（無線ＬＡＮ基地局３００）との無線通信を行う無線ＬＡＮ通信部（無線ＬＡＮ通信部４１０）をさらに有し、前記画像送信部は、前記インターネット及び前記無線ＬＡＮ基地局を介して、前記情報処理装置に画像データを送信し、前記画像受信部は、前記無線ＬＡＮ通信部を介して画像データを受信することを要旨とする。
【００１７】
本発明に係る通信装置の特徴は、所定のインタフェースプロトコルを用いて構成され、画像データを再生及び表示する画像再生装置に接続される通信装置側インタフェースと、自装置にグローバルＩＰ（Internet Protocol）アドレスが設定された後、インターネットを介するＩＰ通信路を用いて情報処理装置によって送信された画像データを受信する画像受信部と、前記画像受信部によって受信された画像データを、ＩＰから前記所定のインタフェースプロトコルにプロトコル変換した上で、前記通信装置側インタフェースを介して前記画像再生装置に中継する画像中継部とを有することを要旨とする。
【００１８】
本発明に係る通信方法の特徴は、インターネットを介して通信可能な情報処理装置が、所定のインタフェースを用いて画像再生装置に接続され、且つグローバルＩＰアドレスが設定された通信装置との間に、前記インターネットを経由するＩＰ通信路を確立するステップと、前記情報処理装置が、前記確立するステップにおいて確立された前記ＩＰ通信路を用いて画像データを前記通信装置に送信するステップと、前記通信装置が、前記情報処理装置によって送信された画像データを受信するとともに、受信した画像データを前記画像再生装置に中継するステップと、前記画像再生装置が、前記通信装置によって中継された画像データを受信するとともに、受信した画像データを再生及び表示するステップとを有することを要旨とする。
【発明の効果】
【００１９】
本発明によれば、画像再生装置を利用して、離れた場所からでも難しい操作を要さずに画像を見せることができる通信システム、通信装置、及び通信方法を提供できる。
【図面の簡単な説明】
【００２０】
【図１】本発明の実施形態に係る通信システムの概略構成図である。
【図２】本発明の実施形態に係るデジタルフォトフレーム及びＵＳＢ無線ＬＡＮ端末の概略斜視図である。
【図３】本発明の実施形態に係るサーバ装置の構成を示すブロック図である。
【図４】本発明の実施形態に係るＵＳＢ無線ＬＡＮ端末の構成を示すブロック図である。
【図５】本発明の実施形態に係る通信システムの動作を示す動作フロー図である。
【発明を実施するための形態】
【００２１】
図面を参照して、本発明の実施形態を説明する。以下の実施形態における図面において、同一又は類似の部分には同一又は類似の符号を付す。
【００２２】
（１）通信システムの構成
図１は、本実施形態に係る通信システムの概略構成図である。図１に示す通信システムは、ＵＳＢメモリ１００、サーバ装置２００、ホームネットワーク２０、インターネット１０、無線ＬＡＮ基地局３００、ＵＳＢ無線ＬＡＮ端末４００、及びデジタルフォトフレーム５００を有する。
【００２３】
サーバ装置２００及びホームネットワーク２０は、住宅Ｈ１に設置される。サーバ装置２００は、ＵＳＢインタフェースを有しており、画像データを記憶するＵＳＢメモリ１００が当該ＵＳＢインタフェースに接続される。画像データは、例えば、デジタルカメラを用いて得られた画像データ、すなわち静止画像データである。サーバ装置２００は、ホームネットワーク２０を介してインターネット１０に接続される。本実施形態においてサーバ装置２００は、インターネット１０を介して通信可能な情報処理装置に相当する。また、ＵＳＢメモリ１００は、当該情報処理装置に接続される記憶媒体に相当する。
【００２４】
無線ＬＡＮ基地局３００及びデジタルフォトフレーム５００は、住宅Ｈ２に設置される。デジタルフォトフレーム５００は、ＵＳＢインタフェースを有しており、ＵＳＢ無線ＬＡＮ端末４００が当該ＵＳＢインタフェースに接続される。無線ＬＡＮ基地局３００は、インターネット１０に接続される。無線ＬＡＮ基地局３００及びＵＳＢ無線ＬＡＮ端末４００は、無線ＬＡＮ（例えばＩＥＥＥ８０２．１１ａ／ｂ／ｇ／ｎ）に準拠した無線通信を行う。本実施形態においてデジタルフォトフレーム５００は、画像データを再生及び表示する画像再生装置に相当する。また、ＵＳＢ無線ＬＡＮ端末４００は、当該画像再生装置に接続される通信装置に相当する。
【００２５】
図２は、デジタルフォトフレーム５００及びＵＳＢ無線ＬＡＮ端末４００の概略斜視図である。図２では、ＵＳＢ無線ＬＡＮ端末４００がデジタルフォトフレーム５００に接続された状態を図示している。
【００２６】
図２に示すように、ＵＳＢ無線ＬＡＮ端末４００は、ケーブルを介さずにデジタルフォトフレーム５００に直接的に接続される。ＵＳＢ無線ＬＡＮ端末４００及びデジタルフォトフレーム５００のそれぞれは、ＵＳＢプロトコル（例えばＵＳＢ２．０又は３．０等）に準拠して構成されている。ＵＳＢ無線ＬＡＮ端末４００は、自装置を駆動するための電力がデジタルフォトフレーム５００から供給される。
【００２７】
デジタルフォトフレーム５００にＵＳＢデバイスが接続される場合、デジタルフォトフレーム５００は、当該ＵＳＢデバイスに記憶されている画像データを自動再生する機能を有する。
【００２８】
また、デジタルフォトフレーム５００は、無線ＬＡＮ通信機能を有していてもよく、無線ＬＡＮ通信機能を有していなくてもよい。無線ＬＡＮ通信機能を有していない場合、デジタルフォトフレーム５００は、プライベートＩＰアドレス及びグローバルＩＰアドレスの何れも有しない。無線ＬＡＮ通信機能を有している場合、デジタルフォトフレーム５００は、プライベートＩＰアドレスを有し、グローバルＩＰアドレスを有しない。
【００２９】
（２）サーバ装置の構成
図３は、サーバ装置２００の構成を示すブロック図である。図３に示すように、サーバ装置２００は、ＵＳＢインタフェース２１０、ＬＡＮインタフェース２２０、処理部２３０、記憶部２４０、及び操作部２５０を有する。
【００３０】
ＵＳＢインタフェース２１０は、ＵＳＢメモリ１００が接続される。ＵＳＢインタフェース２１０の数は、１つに限らず、複数であってもよい。ＬＡＮインタフェース２２０は、ホームネットワーク２２０に接続される。
【００３１】
処理部２３０は、例えばＣＰＵを用いて構成され、記憶部２４０に記憶されているプログラムを実行することで各種の処理を行う。記憶部２４０は、例えばメモリを用いて構成され、処理部２３０によって実行されるプログラムを記憶する機能と、処理部２３０の作業領域としての機能とを有する。操作部２５０は、サーバ装置２００のユーザからの入力操作を受け付ける。
【００３２】
処理部２３０は、通信確立部２３１、画像読み出し部２３２、及び画像送信部２３３を有する。
【００３３】
通信確立部２３１は、グローバルＩＰアドレスが設定されたＵＳＢ無線ＬＡＮ端末４００との間に、インターネット１０を介するＶＰＮ（Virtual Private Network）を確立する。ＶＰＮを確立する技術としては、既存の技術を利用できる。
【００３４】
画像読み出し部２３２は、操作部２５０がユーザから受け付けた入力操作に応じて、ＵＳＢインタフェース２１０に接続されたＵＳＢメモリ１００から画像データを読み出す。
【００３５】
画像送信部２３３は、画像読み出し部２３２によって読み出された画像データを、ＵＳＢプロトコルからＩＰへのプロトコル変換を行った上で、ＬＡＮインタフェース２２０を介してＵＳＢ無線ＬＡＮ端末４００に送信する。具体的には、画像送信部２３３は、ＵＳＢプロトコルに従ったシリアルデータとしての画像データをＩＰパケット化して送信する。
【００３６】
（３）ＵＳＢ無線ＬＡＮ端末の構成
図４は、ＵＳＢ無線ＬＡＮ端末４００の構成を示すブロック図である。
【００３７】
図４に示すように、ＵＳＢ無線ＬＡＮ端末４００は、無線ＬＡＮ通信部４１０、ＵＳＢインタフェース４２０、処理部４３０、及び記憶部４４０を有する。
【００３８】
無線ＬＡＮ通信部４１０は、無線ＬＡＮ基地局３００との間で無線ＬＡＮに準拠した無線通信を行う。ＵＳＢインタフェース４２０は、デジタルフォトフレーム５００に接続される。
【００３９】
処理部４３０は、例えばＣＰＵを用いて構成され、記憶部４４０に記憶されているプログラムを実行することで各種の処理を行う。記憶部４４０は、例えばメモリを用いて構成され、処理部４３０によって実行されるプログラムを記憶する機能と、処理部４３０の作業領域としての機能とを有する。
【００４０】
処理部４３０は、グローバルＩＰアドレス設定部４３１、画像受信部４３２、及び画像中継部４３３を有する。
【００４１】
グローバルＩＰアドレス設定部４３１は、既存の技術を使用して、ＵＳＢ無線ＬＡＮ端末４００にグローバルＩＰアドレスを設定する。なお、グローバルＩＰアドレスが予め記憶部４４０に記憶されている場合には、グローバルＩＰアドレス設定部４３１を不要としてもよい。
【００４２】
画像受信部４３２は、自装置にグローバルＩＰアドレスが設定された後、ＶＰＮを用いてサーバ装置２００によって送信された画像データを受信する。ここで、画像受信部４３２は、無線ＬＡＮ通信部４１０を介して画像データを受信する。
【００４３】
画像中継部４３３は、画像受信部４３２によって受信された画像データを、ＩＰからＵＳＢプロトコルにプロトコル変換した上で、ＵＳＢインタフェース４２０を介してデジタルフォトフレーム５００に中継する。具体的には、画像中継部４３３は、ＩＰパケット化された画像データをＵＳＢプロトコルに従ったシリアルデータに変換して中継する。なお、このような技術として、ＵＳＢ  ｏｖｅｒ  ＩＰと呼ばれる技術を使用してもよい。
【００４４】
（４）通信システムの動作
図５は、本実施形態に係る通信システムの動作を示す動作フロー図である。
【００４５】
ステップＳ０１において、サーバ装置２００の通信確立部２３１は、ＵＳＢ無線ＬＡＮ端末４００のグローバルＩＰアドレスを検索するための信号をＵＳＢ無線ＬＡＮ端末４００に送信する。ステップＳ０２においてその応答を受けたあと、ステップＳ０３においてＵＳＢ無線ＬＡＮ端末４００に接続要求をだし、その応答によりＵＳＢ無線ＬＡＮ端末４００のグローバルＩＰアドレスが設定される。こうして、サーバ装置２００の通信確立部２３１は、グローバルＩＰアドレスが設定されたＵＳＢ無線ＬＡＮ端末４００との間に、インターネット１０を介するＶＰＮを確立する。
【００４６】
ステップＳ１２において、サーバ装置２００の画像読み出し部２３２は、操作部２５０がユーザから受け付けた入力操作に応じて、ＵＳＢインタフェース２１０に接続されたＵＳＢメモリ１００から画像データを読み出す。
【００４７】
ステップＳ１３において、サーバ装置２００の画像送信部２３３は、画像読み出し部２３２によって読み出された画像データを、ＵＳＢプロトコルからＩＰへのプロトコル変換を行う。
【００４８】
ステップＳ１４において、サーバ装置２００の画像送信部２３３は、ＩＰパケット化した画像データをＬＡＮインタフェース２２０を介してＵＳＢ無線ＬＡＮ端末４００に送信する。ＵＳＢ無線ＬＡＮ端末４００の画像受信部４３２は、無線ＬＡＮ通信部４１０を介して画像データを受信する。
【００４９】
ステップＳ１５において、ＵＳＢ無線ＬＡＮ端末４００の画像中継部４３３は、画像受信部４３２によって受信された画像データを、ＩＰからＵＳＢプロトコルにプロトコル変換する。
【００５０】
ステップＳ１６において、ＵＳＢ無線ＬＡＮ端末４００の画像中継部４３３は、ＵＳＢプロトコルに従ったシリアルデータとしての画像データをＵＳＢインタフェース４２０を介してデジタルフォトフレーム５００に中継する。デジタルフォトフレーム５００は、当該画像データを受信する。
【００５１】
ステップＳ１７において、デジタルフォトフレーム５００は、ＵＳＢ無線ＬＡＮ端末４００からの画像データを自動再生して表示する。すなわち、デジタルフォトフレーム５００は、電源が投入されていれば、デジタルフォトフレーム５００のユーザからの操作を待たずに、ＵＳＢ無線ＬＡＮ端末４００からの画像データを自動再生する。
【００５２】
（５）実施形態の効果
以上説明したように、本実施形態によれば、サーバ装置２００は、グローバルＩＰアドレスが設定されたＵＳＢ無線ＬＡＮ端末４００との間にＶＰＮを確立し、ＶＰＮを用いて画像データをＵＳＢ無線ＬＡＮ端末４００に送信する。ＵＳＢ無線ＬＡＮ端末４００は、画像データを受信してデジタルフォトフレーム５００に中継する。そして、デジタルフォトフレーム５００は、ＵＳＢ無線ＬＡＮ端末４００によって中継された画像データを再生及び表示する。
【００５３】
これにより、ある住宅に設けられたサーバ装置２００から、インターネット１０を介して、別の住宅のデジタルフォトフレーム５００に画像データを送信することができ、例えば電子機器の操作に疎いユーザ（老人等）に対して画像を見せることができる。
【００５４】
本実施形態では、ＵＳＢ無線ＬＡＮ端末４００は、受信した画像データを、ＩＰからＵＳＢプロトコルにプロトコル変換した上でデジタルフォトフレーム５００に中継する。
【００５５】
デジタルフォトフレーム５００はＵＳＢインタフェースを有することが一般的であるため、ＵＳＢ無線ＬＡＮ端末４００をデジタルフォトフレーム５００に接続することにより、既存のデジタルフォトフレーム５００を利用して遠隔地からの画像データを再生可能になる。
【００５６】
本実施形態では、サーバ装置２００は、ＵＳＢメモリ１００から読み出された画像データを、ＵＳＢプロトコルからＩＰへのプロトコル変換を行った上でＵＳＢ無線ＬＡＮ端末４００に送信する。
【００５７】
これにより、ＵＳＢメモリ１００をサーバ装置２００に接続することは、ＵＳＢメモリ１００をデジタルフォトフレーム５００に接続することと等価になり、ＵＳＢメモリ１００に記憶された画像データをデジタルフォトフレーム５００が自動再生及び表示することができる。
【００５８】
本実施形態では、ＵＳＢ無線ＬＡＮ端末４００は、無線ＬＡＮ通信により画像データを受信する。これにより、デジタルフォトフレーム５００を容易に移動可能であり、無線ＬＡＮ基地局３００の通信エリア内であればどこでも画像データを受信することができる。
【００５９】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６０】
上述した実施形態においては、本発明に係る通信装置としてＵＳＢ無線ＬＡＮ端末４００を例に挙げたが、無線ＬＡＮに限らず、有線ＬＡＮに対応したＵＳＢ有線ＬＡＮ端末を本発明に係る通信装置としてもよい。
【００６１】
また、上述した実施形態においては、本発明に係る情報処理装置としてサーバ装置２００を例に挙げたが、サーバに限らず、本発明に係る情報処理装置として通常のＰＣを使用してもよい。
【００６２】
さらに、上述した実施形態においては、本発明に係る情報処理装置に接続される記憶媒体としてＵＳＢメモリ１００を例に挙げたが、ＵＳＢメモリに限らず、本発明に係る情報処理装置に接続される記憶媒体として、画像データを記憶するメモリカードを使用してもよい。この場合、メモリカードをサーバ装置２００に接続することは、当該メモリカードをデジタルフォトフレーム５００に接続することと等価になり、メモリカードに記憶された画像データをデジタルフォトフレーム５００が自動再生及び表示することができる。
【００６３】
なお、上述した実施形態においては、画像データが静止画像データであると説明したが、動画像データであってもよい。この場合、デジタルフォトフレーム５００が動画再生に対応している必要がある。
【００６４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００６５】
１０…インターネット、１００…ＵＳＢメモリ、２０…ホームネットワーク、２００…サーバ装置、２１０…ＵＳＢインタフェース、２２０…ＬＡＮインタフェース、２３０…処理部、２３１…通信確立部、２３２…画像読み出し部、２３３…画像送信部、２４０…記憶部、２５０…操作部、３００…無線ＬＡＮ基地局、４００…ＵＳＢ無線ＬＡＮ端末、４１０…無線ＬＡＮ通信部、４２０…ＵＳＢインタフェース、４３０…処理部、４３１…グローバルＩＰアドレス設定部、４３２…画像受信部、４３３…画像中継部、４４０…記憶部、５００…デジタルフォトフレーム
【図１】
2011243083.tif 000003
【図２】
2011243083.tif 000004
【図３】
2011243083.tif 000005
【図４】
2011243083.tif 000006
【図５】
2011243083.tif 000007